(57)【要約】【課題】プラズマディスプレイ装置において、表示駆動回路の異常発生時に表示駆動回路の動作を停止させることを目的とする。【解決手段】プラズマディスプレイパネルのアドレス電極に表示データを供給するためのスキャンドライバ回路１２と、このスキャンドライバ回路１２と電源との間に配置されかつプラズマディスプレイパネルの表示動作に応じてプラズマディスプレイパネルからのエネルギーの回収を行う電力回収回路２０と、この電力回収回路２０の所定の中点の電圧を検出する中点電圧検出回路２１と、この中点電圧検出回路２１で検出した電圧と２点の基準電圧とを比較する電圧比較回路２４、２５と、この電圧比較回路２４、２５からの信号により前記スキャンドライバ回路１２の動作を制御するマイコン２６とを具備した。【選択図】  図５
2004361690.tif 000002
【特許請求の範囲】
【請求項１】
放電空間を形成して対向するスキャン電極とサステイン電極とで対をなす一対の基板上に複数列のストライプ状の表示電極とこの表示電極に交差するように対向配置される複数列のアドレス電極とを設けることにより構成された複数の放電セルを有するプラズマディスプレイパネルと、このプラズマディスプレイパネルの前記スキャン電極に駆動信号電圧と維持パルスを供給するためのスキャンドライバ回路と、このスキャンドライバ回路と電源との間に配置されかつプラズマディスプレイパネルの表示動作に応じてプラズマディスプレイパネルからのエネルギーの回収を行う電力回収回路と、この電力回収回路の所定の中点の電圧を検出する中点電圧検出回路と、この中点電圧検出回路で検出した電圧と２点の基準電圧とを比較する電圧比較回路と、この電圧比較回路からの信号により前記スキャンドライバ回路の動作を制御する制御回路とを具備したことを特徴とするプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
また、このプラズマディスプレイ装置の駆動回路として、特許文献１に示すようなものが知られている。
【０００６】
【特許文献１】
特開２００２−２７８５０９号公報
【０００７】
【発明が解決しようとする課題】
本発明はこのようなプラズマディスプレイ装置において、表示駆動回路の異常発生時に表示駆動回路の動作を制御できるようにすることを目的とするものである。
【０００８】
【課題を解決するための手段】
上記目的を達成するために本発明のプラズマディスプレイ装置は、放電空間を形成して対向するスキャン電極とサステイン電極とで対をなす一対の基板上に複数列のストライプ状の表示電極とこの表示電極に交差するように対向配置される複数列のアドレス電極とを設けることにより構成された複数の放電セルを有するプラズマディスプレイパネルと、このプラズマディスプレイパネルの前記スキャン電極に駆動信号電圧と維持パルスを供給するためのスキャンドライバ回路と、このスキャンドライバ回路と電源との間に配置されかつプラズマディスプレイパネルの表示動作に応じてプラズマディスプレイパネルからのエネルギーの回収を行う電力回収回路と、この電力回収回路の所定の中点の電圧を検出する中点電圧検出回路と、この中点電圧検出回路で検出した電圧と２点の基準電圧とを比較する電圧比較回路と、この電圧比較回路からの信号により前記スキャンドライバ回路の動作を制御する制御回路とを具備したものである。
【０００９】
この構成により、スキャンドライバ回路部分において、異常発生時にスキャンドライバ回路の動作を制御することができる。
【００１０】
【発明の実施の形態】
以下、本発明の一実施の形態によるプラズマディスプレイ装置について、図１〜図７を用いて説明するが、本発明の実施の態様はこれに限定されるものではない。
【００１１】
まず、プラズマディスプレイ装置におけるプラズマディスプレイパネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１２】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１３】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１４】
図２にこのプラズマディスプレイパネルの電極配列を示しており、図２に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【００１５】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１６】
また、プラズマディスプレイ装置の階調表示駆動方式としては、一般にＡＤＳ（アドレス・表示期間分離）方式が用いられている。ＡＤＳ方式では、１フィールドを複数のサブフィールドに時間的に分割する。例えば、８ビットで２５６階調表示を行う場合は、１フィールドを８つのサブフィールドに分割する。また、各サブフィールドは、点灯セル選択のためのアドレス放電が行われるアドレス期間と、表示のための維持放電が行われる維持期間（表示放電期間）とに分離される。
【００１７】
このＡＤＳ方式では、各サブフィールドで第１ラインから第ｍラインまでＰＤＰの全面にアドレス放電による走査が行われ、全面アドレス放電終了時に維持放電が行われる。
【００１８】
図３に、本実施の形態におけるプラズマディスプレイ装置の表示駆動回路の構成を示している。図３に示すように、図１に示す構成のプラズマディスプレイパネル（ＰＤＰ）１０、アドレスドライバ回路１１、スキャンドライバ回路１２、サステインドライバ回路１３、放電制御タイミング発生回路１４、電源回路１５、１６、Ａ／Ｄコンバータ（アナログ・デジタル変換器）１７、走査数変換部１８、及びサブフィールド変換部１９を備えている。
【００１９】
図３の回路において、まず、映像信号ＶＤは、Ａ／Ｄコンバータ１７に入力される。また、水平同期信号Ｈ及び垂直同期信号Ｖは放電制御タイミング発生回路１４、Ａ／Ｄコンバータ１７、走査数変換部１８、サブフィールド変換部１９に与えられる。Ａ／Ｄコンバータ１７は、映像信号ＶＤをデジタル信号に変換し、その画像データを走査数変換部１８に与える。
【００２０】
走査数変換部１８は、画像データをＰＤＰ１０の画素数に応じたライン数の画像データに変換し、各ラインごとの画像データをサブフィールド変換部１９に与える。サブフィールド変換部１９は、各ラインごとの画像データの各画素データを複数のサブフィールドに対応する複数のビットに分割し、各サブフィールドごとに各画素データの各ビットをアドレスドライバ回路１１にシリアルに出力する。アドレスドライバ回路１１は、電源回路１５に接続されており、サブフィールド変換部１９から各サブフィールドごとにシリアルに与えられるデータをパラレルデータに変換し、そのパラレルデータに基づいて複数のアドレス電極に電圧を供給する。
【００２１】
放電制御タイミング発生回路１４は、水平同期信号Ｈおよび垂直同期信号Ｖを基準として、放電制御タイミング信号ＳＣ、ＳＵを発生し、各々スキャンドライバ回路１２およびサステインドライバ回路１３に与える。スキャンドライバ回路１２は、出力回路１２１及びシフトレジスタ１２２を有する。また、サステインドライバ回路１３は、出力回路１３１及びシフトレジスタ１３２を有する。これらのスキャンドライバ回路１２及びサステインドライバ回路１３は共通の電源回路１６に接続されている。
【００２２】
スキャンドライバ回路１２のシフトレジスタ１２２は、放電制御タイミング発生回路１４から与えられる放電制御タイミング信号ＳＣを垂直走査方向にシフトしつつ出力回路１２１に与える。出力回路１２１は、シフトレジスタ１２２から与えられる放電制御タイミング信号ＳＣに応答して複数のスキャン電極に順に駆動信号電圧を供給する。
【００２３】
サステインドライバ回路１３のシフトレジスタ１３２は、放電制御タイミング発生回路１４から与えられる放電制御タイミング信号ＳＵを垂直走査方向にシフトしつつ出力回路１３１に与える。出力回路１３１は、シフトレジスタ１３２から与えられる放電制御タイミング信号ＳＵに応答して複数のサステイン電極に順に駆動信号電圧を供給する。
【００２４】
図４にこのプラズマディスプレイ装置の表示駆動回路のタイミングチャートの一例を示しており、図４に示すように、書き込み期間では、全てのサステイン電極ＳＵＳ１〜ＳＵＳＭを０（Ｖ）に保持した後に、第１行目の表示する放電セルに対応する所定のアドレス電極Ｄ１〜ＤＮに正の書き込みパルス電圧＋Ｖｗ（Ｖ）を、第１行目のスキャン電極ＳＣＮ１に負の走査パルス電圧−Ｖｓ（Ｖ）をそれぞれに印加すると、所定のアドレス電極Ｄ１〜ＤＮと第１行目のスキャン電極ＳＣＮ１との交点部において、書き込み放電が起こる。
【００２５】
次に、第２行目の表示する放電セルに対応する所定のアドレス電極Ｄ１〜ＤＮに正の書き込みパルス電圧＋Ｖｗ（Ｖ）を、第２行目のスキャン電極ＳＣＮ２に負の走査パルス電圧−Ｖｓ（Ｖ）をそれぞれに印加すると、所定のアドレス電極Ｄ１〜ＤＮと第２行目のスキャン電極ＳＣＮ２との交点部において書き込み放電が起こる。
【００２６】
上記同様の動作が順次に行われて、最後に第Ｍ行目の表示する放電セルに対応する所定のアドレス電極Ｄ１〜ＤＮに正の書き込みパルス電圧＋Ｖｗ（Ｖ）を、第Ｍ行目のスキャン電極ＳＣＮＭに負の走査パルス電圧−Ｖｓ（Ｖ）をそれぞれに印加すると、所定のアドレス電極Ｄ１〜ＤＮと第Ｍ行目のスキャン電極ＳＣＮＭとの交点部において書き込み放電が起こる。
【００２７】
次の維持期間では、全てのスキャン電極ＳＣＮ１〜ＳＣＮＭを一旦０（Ｖ）に保持すると共に、全てのサステイン電極ＳＵＳ１〜ＳＵＳＭに負の維持パルス電圧−Ｖｍ（Ｖ）を印加すると、書き込み放電を起こした前記交点部におけるスキャン電極ＳＣＮ１〜ＳＣＮＭとサステイン電極ＳＵＳ１〜ＳＵＳＭとの間に維持放電が起こる。次に全てのスキャン電極ＳＣＮ１〜ＳＣＮＭと全てのサステイン電極ＳＵＳ１〜ＳＵＳＭとに負の維持パルス電圧−Ｖｍ（Ｖ）を交互に印加することにより、表示する放電セルにおいて維持放電が継続して起こる。この維持放電の発光によりパネル表示が行われる。
【００２８】
次の消去期間において、全てのスキャン電極ＳＣＮ１〜ＳＣＮＭを一旦０（Ｖ）に保持すると共に、全てのサステイン電極ＳＵＳ１〜ＳＵＳＭに消去パルス電圧−Ｖｅ（Ｖ）を印加すると、消去放電を起こして放電が停止する。
【００２９】
以上の動作により、プラズマディスプレイ装置において、一画面が表示される。
【００３０】
図５は、図３に示す表示駆動回路におけるスキャンドライバ回路部分の要部回路構成を示す図であり、図５に示すように、スキャンドライバ回路１２と電源回路１６との間には、ＰＤＰ１０の表示動作に応じてＰＤＰ１０からのエネルギーの回収を行う電力回収回路２０が接続配置されている。
【００３１】
２１は前記電力回収回路２０の所定の中点の電圧を検出する中点電圧検出回路、２２、２３は低電圧電源と接続した基準電圧発生回路、２４、２５は中点電圧検出回路２１で検出した電圧と基準電圧発生回路２２、２３による２点の基準電圧とを比較する電圧比較回路で、この電圧比較回路２４、２５の信号は、前記スキャンドライバ回路１２の動作を制御する制御回路としてのマイコン２６に入力されるように接続されている。
【００３２】
ところで、一般にプラズマディスプレイ装置において、スキャンドライバ回路１２と接続する電力回収回路２０の中点電圧を常時検出して、異常発生時には通常時より中点電圧が０Ｖになることを検出してマイコン２６に異常を知らせて、放電制御回路の動作を停止させると共に、電源回路の動作も停止させて、電力回収回路２０の部品破壊を最小限に抑える。
【００３３】
従来、この種の目的のためには、図６に示すように、電力回収回路２０の中点電圧を検出する中点電圧検出回路２１が接続配置されており、常時中点電圧を検出して、電力回収回路２０の異常発生時には、中点電圧が０Ｖになることを検出して、マイコン２６へ異常発生信号を送り、放電制御回路の動作を停止させると共に、電源回路の動作も停止させて電力回収回路２０の部品破壊を最小限に抑えることが行われていたが、中点電圧が０Ｖになる以外の異常を検出できない。
【００３４】
本発明においては、電力回収回路２０の中点電圧を検出する中点電圧検出回路２１と、この中点電圧検出回路２１で検出した電圧と２点の基準電圧とを比較する電圧比較回路２４、２５と、この電圧比較回路２４、２５からの信号により前記マイコン２６が接続配置されており、常時、中点電圧検出範囲と基準電圧範囲とを比較して中点電圧検出範囲が基準電圧範囲より外れた時にはマイコン２６へ異常発生信号を送り、放電制御回路の動作を停止させると共に、電源回路の動作も停止させることができる。図７に本発明による中点電圧検出範囲と、制御動作の範囲の概要を示している。
【００３５】
このように本実施の態様の回路構成によれば、電力回収回路の異常発生時には中点電圧が０Ｖになった場合だけでなく、中点電圧が通常動作範囲外になった場合にも、回路動作を停止させて回路の破壊を最小限に抑えることができる。
【００３６】
【発明の効果】
以上の説明から明らかなように、本発明によるプラズマディスプレイ装置によれば、電力回収回路の異常発生時には中点電圧が０Ｖになった場合だけでなく、中点電圧が通常動作範囲外になった場合にも回路動作を停止させて回路の破壊を最小限に抑えることができるという効果が得られる。
【図面の簡単な説明】
【図１】本発明の一実施の形態によるプラズマディスプレイ装置のパネルの概略構成を示す斜視図
【図２】同プラズマディスプレイ装置のパネルの電極配列を示す説明図
【図３】同プラズマディスプレイ装置の表示駆動回路の一例を示すブロック回路図
【図４】同プラズマディスプレイ装置の駆動方法の一例を示す信号波形図
【図５】同プラズマディスプレイ装置の表示駆動回路の要部回路を示す回路図
【図６】本発明の比較例としての回路の回路図
【図７】本発明における回路の動作範囲を示す説明図
【符号の説明】
１０  プラズマディスプレイパネル
１２  スキャンドライバ回路
１６  電源回路
２０  電力回収回路
２１  中点電圧検出回路
２２、２３  基準電圧発生回路
２４、２５  電圧比較回路
２６  マイコン
【図１】
2004361690.tif 000003
【図２】
2004361690.tif 000004
【図３】
2004361690.tif 000005
【図４】
2004361690.tif 000006
【図５】
2004361690.tif 000007
【図６】
2004361690.tif 000008
【図７】
2004361690.tif 000009